(57)【要約】【課題】介護をする介護者が被介護者の着替えを簡単に行うことができ、被介護者が快適に着用することができる肌着を提供する。【解決手段】後身頃１６に肩部で連結され被介護者の胴体前面右側を覆う右前身頃１２と、後身頃１６と肩部で連結され被介護者の胴体前面左側を覆い、右前身頃１２と打ち合わせ部で重なる左前身頃１４を有する。後身頃１６の右脇部に設けられている後右脇紐２７と、右前身頃１２の右脇部に設けられ後右脇紐２７が挿通される右脇ループ紐３６を備える。左前身頃１４の前合わせ部に設けられ、右脇ループ紐３６に挿通された後右脇紐２７の先端に結ばれる左前合わせ紐４０を有する。右前身頃１２の前合わせ部に設けられた右前合わせ紐３８と、後身頃１６の左脇部に設けられ右前合わせ紐３８が裏側から表側に挿通される紐通し穴２８を備える。左前身頃１４の左脇部に設けられ、紐通し穴２８に挿通された右前合わせ紐３８の先端が結ばれる左脇ループ紐３７を備える。【選択図】図１
0003156152.tif 000002
【実用新案登録請求の範囲】
【請求項１】
被介護者の胴体後面を覆う後身頃と、前記後身頃に右の肩線で連結され前記被介護者の胴体前面右側を覆う右前身頃と、前記後身頃と左の肩線で連結され前記被介護者の胴体前面左側を覆い前記右前身頃と打ち合わせ部で重なる左前身頃が設けられ、前記後身頃の右脇部に設けられている後右脇紐と、前記右前身頃の右脇部に設けられ前記後右脇紐が挿通される右脇ループ紐と、前記左前身頃の前合わせ部に設けられ前記右脇ループ紐に挿通された前記後右脇紐の先端に結ばれる左前合わせ紐と、前記右前身頃の前合わせ部に設けられている右前合わせ紐と、前記右前身頃の左脇部に設けられ前記右前合わせ紐が裏側から表側に挿通される紐通し穴と、前記左前身頃の左脇部に設けられ前記紐通し穴に挿通された前記右前合わせ紐の先端が結ばれる左脇ループ紐が設けられていることを特徴とする肌着。
【請求項２】
前記後右脇紐、前記左前合わせ紐、前記右前合わせ紐、前記右脇ループ紐、及び前記左脇ループ紐は、前記右前身頃、前記左前身頃、及び前記後身頃の生地の縁から生地の中央側へ移動した位置に縫い付けられていることを特徴とする請求項１記載の肌着。
【請求項３】
前記肌着には、前記後身頃の右袖口部に設けられている右袖紐と、前記右前身頃の右袖口部に設けられ前記右袖紐が結ばれる右袖ループ紐が設けられ、前記後身頃の左袖口部に設けられている左袖紐と、前記左前身頃の左袖口部に設けられ前記左袖紐が結ばれる左袖ループ紐が設けられていることを特徴とする請求項１記載の肌着。
【考案の詳細な説明】
【技術分野】
【０００１】
この考案は、介護が必要な人が着用する肌着に関する。
【背景技術】
【０００２】
従来、病気やけが等で介護が必要な被介護者が着用するパジャマや浴衣は、介護をする介護者が被介護者の着替えを手伝いやすいようにいろいろな工夫がされている。特許文献１に開示されている介護用衣服は、衣服の袖と前身頃を平面状に展開可能に形成し、双方の前身頃相互の係止手段を設け、前身頃側部と後身頃側部の対応箇所と、袖の対応箇所に相互の係止手段が設けられている。係止手段の構成はループ紐と結び紐であり、結び紐をループ紐に挿通することにより容易に係止され、また逆にループ紐を抜き去ることにより容易に係止を解除することができる。身体前側の前身頃同士の係合は、面ファスナーで行うものである。
【先行技術文献】
【特許文献】
【０００３】
【特許文献１】特開２００５−６０９１１号公報
【考案の概要】
【考案が解決しようとする課題】
【０００４】
上記特許文献１の場合、身体前側の前身頃同士の係合は面ファスナーが使用され、面ファスナーは基材であるテープ部分が比較的硬いため、テープ部分の角が皮膚に当たると痛みを感じることがあり不快感がある。また面ファスナーはゴツゴツ感があり、寝返りを打つ時に違和感がある。面ファスナー以外に、ボタンやスナップを使用することが考えられるが、ボタンやスナップも硬いため不快感があった。また、特許文献１のように下着ではないパジャマに着替えやすくするための工夫が成されたものはいろいろあるが、肌着にこのような着替えをさせやすい工夫がされたものはなかった。
【０００５】
この考案は、上記背景技術の問題点に鑑みてなされたものであり、介護をする介護者が被介護者の着替えを簡単に行うことができ、被介護者が快適に着用することができる肌着を提供することを目的とする。
【課題を解決するための手段】
【０００６】
本考案は、被介護者の胴体後面を覆う後身頃と、前記後身頃に右の肩線で連結され前記被介護者の胴体前面右側を覆う右前身頃と、前記後身頃と左の肩線で連結され前記被介護者の胴体前面左側を覆い前記右前身頃と打ち合わせ部で重なる左前身頃が設けられている肌着であり、前記後身頃の右脇部に設けられている後右脇紐と、前記右前身頃の右脇部に設けられ前記後右脇紐が挿通される右脇ループ紐と、前記左前身頃の前合わせ部に設けられ前記右脇ループ紐に挿通された前記後右脇紐の先端に結ばれる左前合わせ紐と、前記右前身頃の前合わせ部に設けられている右前合わせ紐と、前記後身頃の左脇部に設けられ前記右前合わせ紐が裏側から表側に挿通される紐通し穴と、前記左前身頃の左脇部に設けられ前記紐通し穴に挿通された前記右前合わせ紐の先端が結ばれる左脇ループ紐が設けられている。
【０００７】
また、前記後右脇紐、前記左前合わせ紐、前記右前合わせ紐、前記右脇ループ紐、及び前記左脇ループ紐は、前記右前身頃、前記左前身頃、及び前記後身頃の生地の縁から生地の中央側へ移動した位置に縫い付けられている。
【０００８】
また、前記肌着には、前記後身頃の右袖口部に設けられている右袖紐と、前記右前身頃の右袖口部に設けられ前記右袖紐が結ばれる右袖ループ紐が設けられ、前記後身頃の左袖口部に設けられている左袖紐と、前記左前身頃の左袖口部に設けられ前記左袖紐が結ばれる左袖ループ紐が設けられている。
【考案の効果】
【０００９】
本考案の肌着は、介護をする介護者が被介護者の着替えを簡単に行うことができ、被介護者が快適に着用することができる。シンプルな形状であり、パジャマや浴衣等、いろいろな衣服の下に着用することができる。
【図面の簡単な説明】
【００１０】
【図１】この考案の一実施形態の肌着の正面図である。
【図２】この実施形態の肌着の展開図である。
【図３】この実施形態の肌着の着用する工程を示す正面図である。
【考案を実施するための形態】
【００１１】
以下、この考案の実施形態について図面に基づいて説明する。図１〜図３はこの考案の一実施形態を示すもので、この実施形態の肌着１０は、介護が必要な被介護者がパジャマや浴衣の下に肌に直接着用するものであり、綿等で作られた伸縮性を有するメリヤス生地で形成されている。
【００１２】
肌着１０は、右前身頃１２、左前身頃１４、後身頃１６が一枚の生地で連続して設けられている。図２は肌着１０を展開して身体側となる裏面を示す図である。後身頃１６は、裾部１６ａが、被介護者の腰に位置する長さに設けられている。そして裾部１６ａの右端部には上方に直角に連続する右脇部１６ｂが設けられ、右脇部１６ｂは被介護者の腕の下付近で外側に広がり、被介護者の上腕部分を通過する右袖口部１６ｃに連続している。そして裾部１６ａの左端部には上方に直角に連続する左脇部１６ｄが設けられ、左脇部１６ｄは、被介護者の腕の下付近で外側に広がり、被介護者の上腕部分を通過する左袖口部１６ｅに連続している。
【００１３】
右袖口部１６ｃ、左袖口部１６ｅの、裾部１６ａと反対の先端は、図２に示すように、裾部１６ａに対して平行な仮想線である肩線１８に達している。肩線１８の中心付近は襟部２０となっている。肩線１８の、襟部２０の右側には右前身頃１２が連続して設けられている。右前身頃１２は、肩線１８で二つ折りして後身頃１６に重ねた時に後身頃１６の裾部１６ａに一致する裾部１２ａが設けられ、裾部１２ａの右端部から上方に直角に連続する右脇部１２ｂが設けられ、右脇部１２ｂは、被介護者の腕の下付近で外側に広がり、被介護者の上腕部分を通過する右袖口部１２ｃに連続している。右袖口部１２ｃは、肩線１８に対してほぼ直角で後身頃１６の袖口部１６ｃの延長線上に位置し、右袖口部１６ｃと同じ長さに形成されている。また右脇部１２ｂも後身頃１６の右脇部１６ｂと同じ形状で同じ長さに形成され、肩線１８で二つ折りされた時、互いにぴったりと重なるものである。裾部１２ａの左端部には上方に直角に連続する前中心部１２ｄが設けられ、前中心部１２ｄには、一定幅の前合わせ布２２が前中心部１２ｄに沿って縫い合わせられている。前合わせ布２２の、前中心部１２ｄと反対側は前合わせ部２２ａとなり、前合わせ部２２ａは、裾部１２ａから上方に直角に連続する直線であり、被介護者の胸付近で前中心部１２ｄに近づくように曲がり、前中心部１２ｄを通過して右前身頃１２を切り欠いて襟部２０となる。
【００１４】
肩線１８の、襟部２０の左側には左前身頃１４が連続して設けられている。左前身頃１４は、肩線１８で二つ折りして後身頃１６に重ねた時に後身頃１６の裾部１６ａに一致する裾部１４ａが設けられ、裾部１４ａの左端部から上方に直角に連続する左脇部１４ｂが設けられ、左脇部１４ｂは、被介護者の腕の下付近で外側に広がり、被介護者の上腕部分を通過する左袖口部１４ｃに連続している。左袖口部１４ｃは、後身頃１６の左袖口部１６ｅの延長線上に位置し、左袖口部１６ｅと同じ長さに形成されている。また左脇部１４ｂも後身頃１６の左脇部１６ｄと同じ形状で同じ長さに形成され、肩線１８で二つ折りされた時、互いにぴったりと重なるものである。裾部１４ａの右端部には上方に直角に連続する前中心部１４ｄが設けられ、前中心部１４ｄには、一定幅の前合わせ布２４が前中心部１４ｄに沿って縫い合わせられている。前合わせ布２４の、前中心部１４ｄと反対側は前合わせ部２４ａとなり、前合わせ部２４ａは、裾部１４ａから上方に直角に連続する直線であり、被介護者の胸付近で前中心部１４ｄに近づくように曲がり、前中心部１４ｄを通過して左前身頃１４を切り欠いて襟部２０となる。
【００１５】
襟部２０と、襟部２０に連続する右前身頃１２の前合わせ部２２ａと、左前身頃１４の前合わせ部２４ａには、生地の縁を挟んでほつれ止めをする布製のテープ部材２６が取り付けられている。また、後身頃１６の右脇部１６ｂと右袖口部１６ｃと、それに連続する右前身頃１２の右袖口部１２ｃと右脇部１２ｂにも、テープ部材２６が取り付けられている。後身頃１６の左脇部１６ｄと左袖口部１６ｅと、それに連続する左前身頃１４の左袖口部１４ｃと左脇部１４ｂにも、テープ部材２６が取り付けられている。
【００１６】
後身頃１６の、右脇部１６ｂの途中の２か所には、後右脇紐２７が１本ずつ縫い付けられている。後右脇紐２７は、右脇部１６ｂに沿って取り付けられているテープ部材２６よりも生地側に縫い付けられ側方へ突出するように設けられている。左脇部１６ｄの途中の２か所には、切断線で形成された紐通し穴２８が設けられている。紐通し穴２８は、左脇部１６ｄに沿って取り付けられているテープ部材２６よりも生地側に設けられ、紐通し穴２８の周囲には、後身頃１６の裏面に当て布３０が重ねて取り付けられている。また、右脇部１６ｂと右袖口部１６ｃの境界付近には、右袖紐３２設けられ、左脇部１６ｄと左袖口部１６ｅの境界付近には、左袖紐３４が設けられている。右袖紐３２と左袖紐３４は、後右脇紐２７より短く形成され、テープ部材２６よりも生地側に縫い付けられ、斜め下方に突出して設けられている。
【００１７】
右前身頃１２の右脇部１２ｂには、肩線１８で二つ折して後身頃１６に重ねた時に２本の後右脇紐２７に対向する２か所に右脇ループ紐３６が設けられ、右袖紐３２に対向する位置に右袖ループ紐３５がそれぞれ設けられている。前合わせ部２２ａには、右脇ループ紐３６と同じ高さに、右前合わせ紐３８が設けられている。右前合わせ紐３８は、後右脇紐２７よりもわずかに長く形成され、テープ部材２６よりも生地側に縫い付けられ側方へ突出するように設けられている。
【００１８】
左前身頃１４の左脇部１４ｂには、肩線１８で二つ折して後身頃１６に重ねられた時に２個の紐通し穴２８に対向する２か所に左脇ループ紐３７が設けられ、左袖紐３４に対向する位置に左袖ループ紐３９がそれぞれ設けられている。前合わせ部２４ａには、左脇ループ紐３７と同じ高さに、左前合わせ紐４０が設けられている。左前合わせ紐４０は、後右脇紐２７とほぼ同じ長さに形成され、テープ部材２６よりも生地側に縫い付けられ側方へ突出するように設けられている。
【００１９】
次に、肌着１０の着用方法について説明する。まず、図２に示すように肌着１０を展開し、襟部２０の内側に被介護者の頭部が位置するように仰向けに寝かせる。そして図３のように、右前身頃１２を肩線１８で二つ折して被介護者の胴体前面右側に重ね、後身頃１６の右袖紐３２を右前身頃１２の右袖ループ紐３５に結び、右袖口部１６ｃ、１２ｃを閉じる。後身頃１６の一対の後右脇紐２７は、右前身頃１２の右脇ループ紐３６に挿通し、一回りして左前合わせ紐４０と対向可能にする。右前身頃１２の前合わせ部２２ａの一対の右前合わせ紐３８を、後身頃１６の左脇部１６ｄの一対の紐通し穴２８に相通し、表側へ引き出す。さらに、左前身頃１４を肩線１８で二つ折して被介護者の胴体前面左側に重ね、後身頃１６の左袖紐３４を左前身頃１４の左袖ループ紐３９に結び、左袖口部１６ｅ、１４ｃを閉じる。右前身頃１２の、後身頃１６の表側に引き出された一対の右前合わせ紐３８を、左前身頃１４の左脇ループ紐３７に結び、後身頃１６の左脇部１６ｄと、右前身頃１２の前合わせ部２２ａと、左前身頃１４の左脇部１４ｂを閉じる。左前身頃１４の一対の左前合わせ紐４０を、後身頃１６の後右脇紐２７の、右脇ループ紐３６に挿通された先端に結び、後身頃１６の右脇部１６ｂと、右前身頃１２の右脇部１２ｂと、左前身頃１４の前合わせ部２４ａを閉じる。これにより、肌着１０の着替えが完了する。肌着１０の上に、パジャマや浴衣を着せてもよい。
【００２０】
この実施形態の肌着１０によれば、介護をする介護者が被介護者の着替えを簡単に行うことができる肌着であり、被介護者が快適に着用して生活することができるものである。具体的には、以下のような作用効果を奏するものである。先ず、両脇部分が分割されて平坦に展開されるため、被介護者が横たわった状態で容易に着せることができ、被介護者の腕を動かす必要がなく、被介護者の着替えの際の負担を軽減することができる。係止手段である紐の数は少ないため、結ぶ手間がかからず作業効率が良く、被介護者もごろつき感が少なく快適に横になることができる。各紐と各ループ紐は、テープ部材２６よりも生地側に縫い付けられているため、互いに結んだり挿通したりして係止するときに一対のテープ部材２６が互いに重なり、確実に隙間なく係止することができる。係止手段に、面ファスナーやボタン等の固い部材を使用していないため安全であり、着用中に違和感がない。右前身頃１２、左前身頃１４、後身頃１６が一枚の生地で設けられているため、縫い目が少なく、被介護者の肌への刺激が少ないものである。右前身頃１２と左前身頃１４には、打ち合わせ布２２，２４が取り付けられて前合わせ部２２ａ，２４ａが十分な幅でたがいに重ねられるため、寝返りを打ったり体を起こしたりしてもはだけることがない。前合わせ部２２ａ，２４ａにそれぞれ右前合わせ紐３８と左前合わせ紐４０が設けられて、確実に前合わせ部２２ａ，２４ａが閉じられるため、被介護者の腹部を確実に覆うことができる。肌着１０はシンプルな形状であり、パジャマや浴衣等、いろいろな形状の衣服の下に着用することができる。
【００２１】
なお、この考案の肌着は、上記実施の形態に限定されるものではなく、肌着の形状は被介護者が快適に着用するものであれば自由に変更可能であり、袖や裾の長さは気候や体調に合わせたものとすることができる。互いに結ぶ紐とループ紐は、取付位置が逆でもよい。肌着の素材は、綿以外に合成繊維等いろいろなものを使用してもよい。
【符号の説明】
【００２２】
１０  肌着
１２  右前身頃
１４  左前身頃
１６  後身頃
１８  肩線
２０  襟部
２６  テープ部材
２７  後右脇紐
２８  紐通し穴
３２  右袖紐
３４  左袖紐
３５  右袖ループ紐
３６  右脇ループ紐
３７  左脇ループ紐
３８  右前合わせ紐
３９  左袖ループ紐
４０  左前合わせ紐
【図１】
0003156152.tif 000003
【図２】
0003156152.tif 000004
【図３】
0003156152.tif 000005